(57)【特許請求の範囲】
【請求項１】
内装下地上にシート状の内装材が貼付された壁または天井の１の区画領域に対する内装改修方法であって、
前記内装材の剥がれている部分を所定幅で除去する剥離部除去工程と、
前記剥離部除去工程の後、前記所定幅よりも幅広に形成されたシート状の捲れ防止材を、前記内装材を除去した部分を覆うように貼付する段差補修工程と、
前記段差補修工程の後、前記捲れ防止材を貼付した要補修部分を、前記内装材表面と面一となるように補修材を用いて補修する下地処理工程と、
前記下地処理工程の後、前記要補修部分を含む前記区画領域に、ゼオライト・珪藻土配合塗料を下塗りする下塗り工程と、
前記下塗り工程の後、前記区画領域に前記ゼオライト・珪藻土配合塗料を上塗りし、所定のテクスチャーを形成する上塗り工程と、を備え、
前記上塗りは、前記下塗りよりも厚塗りで仕上げることを特徴とする内装改修方法。
【請求項２】
内装下地上にシート状の内装材が貼付された壁または天井の１の区画領域に対する内装改修方法であって、
前記内装材の剥がれている部分を所定幅で除去する剥離部除去工程と、
前記剥離部除去工程の後、前記内装材と同一の厚みで、かつ、前記所定幅より僅かに狭い幅を有するパッチ材を、前記内装材を除去した部分に貼付し、前記内装材と前記パッチ材との継目に、シート状の捲れ防止剤を貼付する段差補修工程と、
前記段差補修工程の後、前記捲れ防止剤を貼付した要補修部分に対し、前記内装材の表面と面一となるように補修材を用いて補修する下地処理工程と、
前記下地処理工程の後、前記要補修部分を含む前記区画領域に、ゼオライト・珪藻土配合塗料を下塗りする下塗り工程と、
前記下塗り工程の後、前記区画領域に前記ゼオライト・珪藻土配合塗料を上塗りし、所定のテクスチャーを形成する上塗り工程と、を備え、
前記上塗りは、前記下塗りよりも厚塗りで仕上げることを特徴とする内装改修方法。
【請求項３】
前記下塗り工程で用いる前記ゼオライト・珪藻土配合塗料にのみ硬化剤が添加されていることを特徴とする請求項１または２に記載の内装改修方法。
【請求項４】
前記下塗り工程は、
砂骨用ローラーを用いて前記ゼオライト・珪藻土配合塗料を塗布する塗布工程と、
前記塗布工程の後、ヘラを用いて前記区画領域に塗布した前記ゼオライト・珪藻土配合塗料を平滑に均す均し工程と、を有することを特徴とする請求項１ないし３のいずれかに記載の内装改修方法。
【請求項５】
前記上塗り工程では、砂骨用ローラーを用い、前記下塗りに比べて単位面積当り２割増し程度の質量の前記ゼオライト・珪藻土配合塗料が前記上塗りされることを特徴とする請求項１ないし４のいずれかに記載の内装改修方法。
【請求項６】
前記上塗り工程の後、ゼオライト配合エマルション塗料を塗布するトップコート工程を備えたことを特徴とする請求項１ないし５のいずれかに記載の内装改修方法。
【発明の詳細な説明】
【技術分野】
【０００１】
本発明は、壁紙等の内装材が貼付された壁や天井等の内装改修方法に関する。
【背景技術】
【０００２】
従来、居室内の壁等に貼付されたビニールクロスの汚れを洗浄した後、ビニールクロスの表面に、層状珪酸塩鉱物等を含む液状若しくはスラリ状のコーティング材を吹き付け又は塗布し、自然乾燥させることで薄く透明なコーティング層を形成するコーティング方法（内装改修方法）が知られている（特許文献１参照）。
このように形成されたコーティング層は、調湿性を有し、カビの発生を抑制する効果を奏すると共に、薄く透明であるため下地となるビニールクロスの表面の模様等を損なうことがない。
【先行技術文献】
【特許文献】
【０００３】
【特許文献１】特開２００５−３２９３９１号公報
【発明の概要】
【発明が解決しようとする課題】
【０００４】
ところで、ビニールクロス等の内装材は、汚れだけでなく、経年変化等により破れや端部の剥がれが生じる場合がある。
しかし、従来の内装改修方法では、内装材に破れや剥がれが生じた状態で透明のコーティング層を形成すると、破れや剥がれがそのまま表面に現れると共に、コーティング層に凹凸が生じるため、美観が損なわれるという問題があった。また、内装材の汚れがひどい場合には、汚れによるにじみを防止するため、一般的に、下塗り塗料（シーラー）を別途用意し、塗布する作業が必要になっていた。したがって、破れ若しくは剥がれまたは汚れがひどい場合は、内装材を張り替える必要があった。
【０００５】
本発明は、内装下地上に貼付された内装材に破れや剥がれが生じた区画領域を簡単に、かつ、美しく改修することができる内装改修方法を提供することを課題とする。
【課題を解決するための手段】
【０００８】
本発明の内装改修方法は、内装下地上にシート状の内装材が貼付された壁または天井の１の区画領域に対する内装改修方法であって、内装材の剥がれている部分を所定幅で除去する剥離部除去工程と、剥離部除去工程の後、所定幅よりも幅広に形成されたシート状の捲れ防止材を、内装材を除去した部分を覆うように貼付する段差補修工程と、段差補修工程の後、捲れ防止材を貼付した要補修部分を、内装材表面と面一となるように補修材を用いて補修する下地処理工程と、下地処理工程の後、要補修部分を含む区画領域に、ゼオライト・珪藻土配合塗料を下塗りする下塗り工程と、下塗り工程の後、区画領域にゼオライト・珪藻土配合塗料を上塗りし、所定のテクスチャーを形成する上塗り工程と、を備え、上塗りは、下塗りよりも厚塗りで仕上げることを特徴とする。
【０００９】
この構成によれば、内装材に、補修材のみでは補修できない程の大きな破れや剥がれが生じている場合でも、剥離部除去工程において、剥がれている部分（破れている部分を含む。）を所定幅で除去し、段差補修工程において、その除去した部分を覆うように捲れ防止材を貼付した後に、下地処理工程を行うことで、内装下地と内装材との段差（凹凸）をなくすことができる。これにより、内装材の破れや剥がれに起因する凹凸のない、美しい区画領域に仕上げることができる。また、所定幅で除去した部分を覆うように捲れ防止材を貼付しているため、除去した端部から内装材が更に剥がれてしまうことを防止することができる。
【００１０】
また、他の内装改修方法は、内装下地上にシート状の内装材が貼付された壁または天井の１の区画領域に対する内装改修方法であって、内装材の剥がれている部分を所定幅で除去する剥離部除去工程と、剥離部除去工程の後、内装材と同一の厚みで、かつ、所定幅より僅かに狭い幅を有するパッチ材を、内装材を除去した部分に貼付し、内装材とパッチ材との継目に、シート状の捲れ防止剤を貼付する段差補修工程と、段差補修工程の後、捲れ防止剤を貼付した要補修部分に対し、内装材の表面と面一となるように補修材を用いて補修する下地処理工程と、下地処理工程の後、要補修部分を含む区画領域に、ゼオライト・珪藻土配合塗料を下塗りする下塗り工程と、下塗り工程の後、区画領域にゼオライト・珪藻土配合塗料を上塗りし、所定のテクスチャーを形成する上塗り工程と、を備え、上塗りは、下塗りよりも厚塗りで仕上げることを特徴とする。
【００１１】
この構成によれば、内装材に、補修材のみでは補修できない程の大きな破れや剥がれが生じている場合でも、剥離部除去工程において、剥がれている部分（破れている部分を含む。）を所定幅で除去し、段差補修工程において、その除去した部分にパッチ材を貼付した後に、下地処理工程を行うことで、内装下地と内装材との段差（凹凸）をなくすことができる。これにより、内装材の破れや剥がれに起因する凹凸のない、美しい区画領域に仕上げることができる。
【００１２】
この場合、下塗り工程で用いるゼオライト・珪藻土配合塗料にのみ硬化剤が添加されていることが好ましい。
【００１３】
この構成によれば、下塗りされたゼオライト・珪藻土配合塗料は、自然乾燥させるものと比べて、早く硬化する。これにより、下塗りされた区画領域（内装面）の形成を迅速に行えるため、続く上塗り工程へと速やかに移行することができる。すなわち、内装改修全体に係る時間を大幅に短縮することができる。
【００１４】
この場合、下塗り工程は、砂骨用ローラーを用いてゼオライト・珪藻土配合塗料を塗布する塗布工程と、塗布工程の後、ヘラを用いて区画領域に塗布したゼオライト・珪藻土配合塗料を平滑に均す均し工程と、を有することが好ましい。
【００１５】
この構成によれば、砂骨用ローラーを用いることで、（コテ等を用いて塗る場合に比べて）ゼオライト・珪藻土配合塗料の塗布が簡単になると共に、当該塗布に係る時間を短縮することができる。また、砂骨用ローラーによる塗布の後に、ヘラを用いて均すことで、区画領域においてゼオライト・珪藻土配合塗料が、薄く平滑に塗り広げられる。特に、表面に凹凸がある内装材の場合、ヘラを用いて均すことで塗料が内装材に密着するため、平滑で、かつ、剥がれにくい塗膜が形成される。
【００１６】
また、この場合、上塗り工程では、砂骨用ローラーを用い、下塗りに比べて単位面積当り２割増し程度の質量のゼオライト・珪藻土配合塗料が上塗りされることが好ましい。
【００１７】
この構成によれば、砂骨用ローラーを用いてゼオライト・珪藻土配合塗料を塗布するだけで、簡単に区画領域の表面に所定のテクスチャーが形成される。また、下塗りの２割程度増量したゼオライト・珪藻土配合塗料を塗布することで、塗膜を厚く形成することができる。これにより、ゼオライト・珪藻土配合塗料が有する調湿性および脱臭性等の優れた機能を有効に発揮可能な区画領域を形成することができる。
【００１８】
この場合、上塗り工程の後、ゼオライト配合エマルション塗料を塗布するトップコート工程を備えていることが好ましい。
【００１９】
この構成によれば、ゼオライト配合エマルション塗料によるトップコート層（仕上げ面）が形成される。これにより、上塗りしたゼオライト・珪藻土配合塗料が経年劣化した場合でも、優れた調湿性および脱臭性等を有する区画領域を、簡単に再生（補修）することができる。
【図面の簡単な説明】
【００２０】
【図１】第１実施形態に係る内装改修方法のフローチャートである。
【図２】第１実施形態に係る内装改修方法の下地処理工程を説明する模式図であって、（ａ）は壁面の立面図、（ｂ）は壁面の断面図である。
【図３】第１実施形態に係る内装改修方法を実施した後の壁面の断面を模式的に示した図である。
【図４】第２実施形態および第３実施形態に係る内装改修方法のフローチャートである。
【図５】第２実施形態に係る内装改修方法の剥離部除去工程、段差補修工程および下地処理工程を説明する模式図であって、（ａ）は壁面の平面図、（ｂ）は壁面の断面図である。
【図６】第３実施形態に係る内装改修方法の剥離部除去工程、段差補修工程および下地処理工程を説明する模式図であって、（ａ）は壁面の平面図、（ｂ）は壁面の断面図である。
【図７】第５実施形態に係る内装改修方法を実施した後の壁面の断面を模式的に示した図である。
【発明を実施するための形態】
【００２１】
以下、添付の図面を参照して、本発明の第１実施形態に係る内装改修方法について説明する。この内装改修方法は、居室内の壁や天井に貼付したビニールクロス等の内装材の上にゼオライト・珪藻土配合塗料を塗装し、調湿機能および脱臭機能等を有する塗膜を形成するものである。そこで、先ず、ゼオライト・珪藻土配合塗料について簡単に説明する。
【００２２】
ゼオライト・珪藻土配合塗料は、砂骨用ローラー等での塗布が可能で、調湿、消臭およびホルムアルデヒドの吸着・分解等の機能を有する。当該塗料に含まれているゼオライトは、微小な細孔を有する多孔質の天然鉱物であり、水や有機分子の吸収・放出機能を備えている。また、当該塗料に含まれている珪藻土は、藻類の死骸が、海底や湖底に堆積してできた泥土（粘土状）で、断熱、遮音、調湿および脱臭等の機能を備えている。
【００２３】
続いて、図１ないし図３を参照して、第１実施形態に係る内装改修方法について説明する。この内装改修方法は、内装下地２の上にシート状の内装材が貼付された壁または天井の１の区画領域に対して改修を施すものである。本実施形態では、説明を簡単にするために、壁面１に貼付されたビニールクロス３の改修について説明する。
【００２４】
図１に示すように、内装改修方法は、内装下地２の上にシート状の内装材となるビニールクロス３が貼付された壁面１に対し、内装下地２が露出した要補修部分を、ビニールクロス３の表面と面一となるように補修材４を用いて補修する下地処理工程Ｓ１と、下地処理工程Ｓ１の後、要補修部分を含む壁面１に、ゼオライト・珪藻土配合塗料を下塗りする下塗り工程Ｓ２と、下塗り工程Ｓ２の後、壁面１にゼオライト・珪藻土配合塗料を上塗りし、所定のテクスチャーを形成する上塗り工程Ｓ３と、を備えている。第１実施形態に係る内装改修方法は、壁面１に貼付された複数枚のビニールクロス３の相互間の継目に生じた隙間が数ミリ程度（１０ｍｍ未満）の場合および数ミリ角程度の微小な範囲の浮き若しくは破れまたは剥がれが生じている場合に行われる（図２（ａ）参照）。なお、言うまでもないが、内装改修作業の開始前に改修対象となる壁面１の周囲には、養生（マスキング）が行われている。
【００２５】
図２に示すように、経年変化等により、ビニールクロス３の相互間の継目に数ミリ程度の隙間が生じている。下地処理工程Ｓ１では、壁面１に貼付された複数枚のビニールクロス３の相互間の継目に生じた隙間を、パテベラでなぞるようにして補修材４（ビニールクロス３の下地用のパテ材）を、当該隙間に埋め込んで行く（いわゆるパテ処理）。その後、埋め込んだ補修材４を乾燥させる。ビニールクロス３の継目に生じた隙間以外に、数ｍｍ程度の部分的な破れや剥がれ等が生じている場合にも、補修材４によるパテ処理が行われる。使用する補修材４としては、パテベラによる伸びが良く、乾燥が早く、かつ、乾燥後の体積変化が少ない（やせが少ない）合成樹脂エマルション系のものが好ましい。この下地処理工程Ｓ１により、内装下地２と壁面１との段差（凹凸）が解消される。
【００２６】
図１に示すように、下塗り工程Ｓ２は、砂骨用ローラーを用いてゼオライト・珪藻土配合塗料を塗布する塗布工程Ｓ２１と、塗布工程Ｓ２１の後、均しヘラを用いて壁面１に塗布したゼオライト・珪藻土配合塗料を平滑に均す均し工程Ｓ２２と、を有している。
【００２７】
図３に示すように、塗布工程Ｓ２１は、砂骨用ローラーを用いて壁面１にゼオライト・珪藻土配合塗料を下塗りし、下塗り層２０を形成する。コテ等を用いて壁面１を塗るには熟練を必要とするが、本実施形態では、砂骨用ローラーを用いることで、誰でも簡単に広範囲の壁面１にゼオライト・珪藻土配合塗料の下塗りを実施することができる。なお、本実施形態では、砂骨用ローラーを用いて、１平方メートル当り２２０ｇ（±１０ｇ）のゼオライト・珪藻土配合塗料を塗布している。
【００２８】
均し工程Ｓ２２では、均しヘラを用いて均すことで、壁面１に塗布したゼオライト・珪藻土配合塗料が、薄く平滑に塗り広げられる。一般的にビニールクロス３の表面には、模様となる凹凸がある場合が多いため、均しヘラを用いて均すことで、ゼオライト・珪藻土配合塗料がビニールクロス３の表面の凹部に入り込む。これにより、下塗り層２０（ゼオライト・珪藻土配合塗料の塗膜）は、平滑化され、かつ、ビニールクロス３の表面に密着して剥がれにくくなる。なお、均し工程Ｓ２２は、作業性を考慮して、下塗り層２０の表面硬化前、半乾きの状態で速やかに、均しヘラを軽く押し付ながら滑らせて、下塗り層２０の厚みを均一にするように行われる。
【００２９】
その後、下塗り層２０を硬化させる。なお、送風機を用いることで下塗り層２０の硬化を促進させることもできる。これにより、硬化時間を短縮することができ、遅滞無く次の工程に移行することができる。
【００３０】
次に、図３に示すように、上塗り工程Ｓ３では、砂骨用ローラーを用い、下塗り工程Ｓ２での下塗りに比べて単位面積当り約２割増の質量のゼオライト・珪藻土配合塗料を上塗りし、上塗り層３０を形成する。なお、本実施形態では、１平方メートル当り２６０ｇ（±２０ｇ）のゼオライト・珪藻土配合塗料を塗布している。本実施形態では、下塗りに比べ、２割程度増量したゼオライト・珪藻土配合塗料を塗布することで、上塗り層３０を厚く形成し、ゼオライト・珪藻土配合塗料が有する調湿性および脱臭性等の優れた機能を有効に発揮可能な壁面１（内装）を形成している。
【００３１】
また、上塗り工程Ｓ３では、目の粗い砂骨用ローラーを用いていることから、ゼオライト・珪藻土配合塗料を塗布するだけで、簡単に壁面１（上塗り層３０）の表面に所定のテクスチャー（凹凸模様）が形成される。なお、所定のテクスチャーの例としては、スティップル状、コテパターン状、玉吹状、ウェーブ状等、適当な凹凸を設けることが考えられる。もちろん、凹凸模様を設けず、平滑な面に仕上げてもよい。
【００３２】
なお、上塗り工程Ｓ３の後に、上塗り層３０の表面を仕上げヘラで軽く均し、凹凸模様を整えるパターン形成工程Ｓ４を、更に実施してもよい。パターン形成工程Ｓ４は、仕上げヘラを一定の圧力で軽く押え付けるようにして一方向に動かし、上塗り層３０の表面の凹凸模様の凸部の先端を僅かにつぶして整える（完全には潰さない。）。これにより、砂骨用ローラーを用いて塗布しただけの壁面１とは異なる風合いの壁面１に仕上げることができる。なお、パターン形成工程Ｓ４を実施するか否かは任意であるため、図１（後述する図４）では破線で表している。また、パターン形成工程Ｓ４に代えて、別途用意した任意のパターンローラーやコテを用いて上塗り層３０の表面に任意の模様をつけてもよい。
【００３３】
以上の構成により、ビニールクロス３の継目に隙間や微小な破れ等が生じている場合でも、仕上がった壁面１に隙間や微小な破れ等が現れることがなく、また、所定のテクスチャーが形成されているため、美観に優れた壁面１とすることができる。さらに、汚れがひどい場合にも、ゼオライト・珪藻土配合塗料と異なる下塗りのための塗料（シーラー）を別途用意する必要がなく、改修に要する手間とコストを削減することができる。
【００３４】
（第２実施形態）
続いて、図４および図５を参照して、本発明の第２実施形態に係る内装改修方法について説明する。なお、第１実施形態に係る内装改修方法と異なる点のみを説明する。
図４に示すように、この内装改修方法は、ビニールクロス３の剥がれている部分を所定幅で除去する剥離部除去工程Ｓ１１と、剥離部除去工程Ｓ１１の後、所定幅よりも幅広に形成されたシート状の捲れ防止材５を、ビニールクロス３を除去した部分を覆うように貼付する段差補修工程Ｓ１２と、が下地処理工程Ｓ１に先立って行われる。
【００３５】
図５に示すように、剥離部除去工程Ｓ１１は、壁面１に貼付された複数枚のビニールクロス３の相互間の継目に生じた隙間が１０ｍｍ程度の場合および１０ｍｍ角程度の範囲の浮き若しくは破れまたは剥がれが生じている場合に行われる。また、ビニールクロス３の端の部分に剥がれ等が生じている場合にも行われる。剥離部除去工程Ｓ１１では、継目の隙間や剥がれ等が生じた部分を含む範囲に、所定の幅でカッターの刃を入れ、傷んだビニールクロス３を切除する。特に、ビニールクロス３の継目の周りを切除する場合には、継目と平行に、所定の幅で２列の切れ目を入れる（図５（ａ）参照）。
【００３６】
段差補修工程Ｓ１２では、ビニールクロス３を切除した部分を覆うように捲れ防止材５を貼付する。捲れ防止材５は、片面に粘着層を有する網目（格子）状に形成された薄いシート状の部材であり、ビニールクロス３を切除した幅よりも幅広に形成されている。捲れ防止材５は、所定幅で除去した部分を覆うように貼付されるため、除去した端部からビニールクロス３が更に剥がれてしまうことを防止することができる。なお、ビニールクロス３は、端（際）の部分から剥がれてくることが多いため、破れや剥がれ等が生じていなくとも、ビニールクロス３の端（際）の部分に対し、上記した剥離部除去工程Ｓ１１および段差補修工程Ｓ１２を実施することが好ましい。
【００３７】
そして、下地処理工程Ｓ１では、捲れ防止材５を貼付した部分を、ビニールクロス３の表面と面一となるように（均すように）補修材４を埋め込んで補修する。これにより、ビニールクロス３の継目の隙間や剥がれ等に起因する凹凸のない、美しい壁面１に仕上げることができる。
【００３８】
（第３実施形態）
続いて、図４および図６を参照して、本発明の第３実施形態に係る内装改修方法について説明する。なお、第１実施形態および第２実施形態に係る内装改修方法と異なる点のみを説明する。
図４に示すように、この内装改修方法は、ビニールクロス３の剥がれている部分を所定幅で除去する剥離部除去工程Ｓ１１と、剥離部除去工程Ｓ１１の後、ビニールクロス３と同一の厚みで、かつ、所定幅と同一の幅を有するパッチ材６を、ビニールクロス３を除去した部分に貼付する段差補修工程Ｓ１２と、が下地処理工程Ｓ１に先立って行われる。
【００３９】
図６に示すように、第３実施形態に係る剥離部除去工程Ｓ１１は、第２実施形態に係るものと略同様であるが、壁面１に貼付された複数枚のビニールクロス３の相互間の継目に生じた隙間が２０ｍｍ以上の場合および２０ｍｍ角以上の範囲の浮き若しくは破れまたは剥がれが生じている場合に行われる。剥離部除去工程Ｓ１１では、継目の隙間や剥がれ等が生じた部分を含む範囲に、１００ｍｍ幅の定規をあてがい、その定規の幅でカッターの刃を入れ、傷んだビニールクロス３を切除する。
【００４０】
第３実施形態に係る段差補修工程Ｓ１２では、ビニールクロス３を切除した部分にパッチ材６を貼付する。パッチ材６は、ビニールクロス３と同一厚で、所定の幅（９６ｍｍ）に形成され、裏面に粘着層を有するものである。パッチ材６は、両端に約２ｍｍの隙間を空けてビニールクロス３を切除した部分に貼付される。これにより、内装下地２とビニールクロス３との段差（凹凸）をなくすことができる。なお、図示は省略するが、第２実施形態に記載したように捲れ防止材５を、既設のビニールクロス３とパッチ材６との継目（隙間）に貼付してもよい。
【００４１】
そして、下地処理工程Ｓ１では、既設のビニールクロス３とパッチ材６との継目に補修材４を埋め込み、表面を面一となるように補修する。これにより、補修材４のみでは補修できない程の大きな破れや剥がれが生じている場合でも、ビニールクロス３の継目の隙間や剥がれ等に起因する凹凸のない、美しい壁面１に仕上げることができる。なお、第３実施形態に係る剥離部除去工程Ｓ１１および段差補修工程Ｓ１２を、継目の隙間が２０ｍｍ以下の場合に実施してもかまわない。
【００４２】
（第４実施形態）
次に、本発明の第４実施形態に係る内装改修方法について説明する。なお、第１ないし第３実施形態に係る内装改修方法と異なる点のみを説明する。第４実施形態に係る内装改修方法では、下塗り工程Ｓ２と上塗り工程Ｓ３とで、それぞれ異なるゼオライト・珪藻土配合塗料を使用している。具体的には、下塗り工程Ｓ２で用いるゼオライト・珪藻土配合塗料にのみ硬化剤が添加されている。
【００４３】
この構成によれば、下塗りされたゼオライト・珪藻土配合塗料は、自然乾燥させるものと比べて、早く硬化する。これにより、下塗り層２０の形成を迅速に行えるため、続く上塗り工程Ｓ３へと速やかに移行することができる。すなわち、内装改修全体に係る時間を大幅に短縮することができる。
【００４４】
（第５実施形態）
続いて、図７を参照して、本発明の第４実施形態に係る内装改修方法について説明する。なお、第１ないし第３実施形態に係る内装改修方法と異なる点のみを説明する。
第５実施形態に係る内装改修方法は、上述した第１ないし第４実施形態に係る内装改修方法を施した後（数ヶ月から数年後）に補修する場合に、上塗り層３０の上にゼオライト配合エマルション塗料を塗布し、トップコート層７を形成するトップコート工程を備えている。
【００４５】
ゼオライト配合エマルション塗料は、下塗り工程Ｓ２および上塗り工程Ｓ３で用いたゼオライト・珪藻土配合塗料とは異なるものであり、多孔質の天然鉱物であるゼオライトの調湿性や脱臭性等の機能を有し、ＶＰローラー等での塗布が可能な水性の塗料である。
【００４６】
本実施形態におけるトップコート工程では、ゼオライト配合エマルション塗料を２回（下塗りおよび上塗り）塗布している。なお、１回当りの塗布量は１５０ｇ（±１０ｇ）である。これにより、下塗りコート層７１と上塗りコート層７２とから成るトップコート層７が形成され、上塗り層が経年劣化した場合でも、優れた調湿性および脱臭性等を有する区画領域を、簡単に再生（補修）することができる。
なお、ゼオライト・珪藻土配合塗料の塗布量と、ゼオライト配合エマルション塗料の塗布量との合計が１７００ｇ／ｍ＾２を越えない範囲であれば、トップコート工程を繰り返し行っても、塗膜のひび割れやビニールクロス３の剥がれ等が生じないことが実験により証明されている。したがって、ゼオライト・珪藻土配合塗料による内装改修以降、トップコート工程のみを行う改修（補修）を、５〜７回行うことができる。
【符号の説明】
【００４７】
１：壁面、２：内装下地、３：ビニールクロス、４：補修材、５：捲れ防止材、６：パッチ材
【図１】
0005634221.tif 000002
【図２】
0005634221.tif 000003
【図３】
0005634221.tif 000004
【図４】
0005634221.tif 000005
【図５】
0005634221.tif 000006
【図６】
0005634221.tif 000007
【図７】
0005634221.tif 000008